(57)【要約】【課題】微細な領域を精度よく冷却又は温度制御することができる冷却媒体を提供する。【解決手段】本発明の冷却媒体は、高沸点成分を連続相とし、低沸点成分を分散相として構成したエマルジョンを含むものである。前記エマルジョン中、前記分散相の体積割合hは１０％以上３０％以下である、ことが好ましい。また、本発明の冷却媒体は、連続相である水及び分散相であるｎ−ヘキサンからなる水中油滴型エマルジョンと、界面活性剤であるエーテル系化合物と、を含む、ものであることが好ましい。【選択図】なし【特許請求の範囲】
【請求項１】
高沸点成分を連続相とし、低沸点成分を分散相として構成したエマルジョンを含む、冷却媒体。
【請求項２】
前記エマルジョン中、前記分散相の体積割合が１０％以上３０％以下である、請求項１記載の冷却媒体。
【請求項３】
連続相である水及び分散相であるｎ−ヘキサンからなる水中油滴型エマルジョンと、界面活性剤であるエーテル系化合物と、を含む、請求項１又は２記載の冷却媒体。
【請求項４】
前記水中油滴型エマルジョン中における分散相の油滴直径が、０．５μｍ以上３０μｍ以下である、請求項３記載の冷却媒体。
【請求項５】
前記水中油滴型エマルジョンの粘性係数が、２９３Ｋにおいて３５ｍＰａ・ｓ以上４０ｍＰａ・ｓ以下である、請求項３又は４記載の冷却媒体。
【請求項６】
連続相である鉱油、シリコンオイル、又は流動パラフィンと、分散相である水と、からなる油中水滴型エマルジョンと、界面活性剤であるソルビタン系化合物と、を含む、請求項１又は２記載の冷却媒体。
【請求項７】
被冷却体を冷却するための冷却ユニットであって、
請求項１〜６の何れかに記載の冷却媒体と、
前記冷却媒体の移送を促進する冷却媒体移送ポンプと、
前記被冷却体の下流に設けられた放熱器と、
前記放熱器の下流に設けられた攪拌装置と、
前記攪拌装置から排出された冷却媒体を前記被冷却体へ還流する循環系と、
を含む、冷却ユニット。
【請求項８】
請求項７記載の冷却ユニットを備えた、パーソナルコンピュータ。
【請求項９】
請求項７記載の冷却ユニットを備えた、バイオリアクター。
【請求項１０】
請求項１〜６の何れかに記載の冷却媒体を備えた、冷却装置。
【発明の詳細な説明】
【技術分野】
【０００１】
本発明は、冷却媒体、冷却ユニット、これを備えたパーソナルコンピュータ及びバイオリアクター、並びに冷却装置に関わり、より詳細には、微細な領域を精度よく冷却又は温度制御することができる冷却媒体、冷却ユニット、これを備えたパーソナルコンピュータ及びバイオリアクター、並びに冷却装置に関する。
【背景技術】
【０００２】
パーソナルコンピュータにおいて、集密化しているＣＰＵ素子には動作限界温度があり、その冷却に当たっては動作限界温度を超えない一定の範囲において冷却制御を行う必要がある。ここで、空気冷却では高密度化には対応することができないため、現在では水冷装置を取り付け、冷却媒体として熱容量の大きい液体を使用して熱伝達率を向上させる工夫がなされている。
また、微生物培養による生物生産において，菌種によっては非常に厳しい温度管理が必要となる。そのような微生物を培養するためのバイオリアクターにおける温度管理には主にセンサやプログラマブルなヒータ出力を利用した温度制御がなされている。
【０００３】
このように、ＣＰＵ素子の冷却やバイオリアクターの温度管理において、従来では冷却媒体として熱容量の大きい液体を使用し、それらの流動場に伝熱面を設置することによって、熱交換を促進して温度制御している。
【発明の開示】
【発明が解決しようとする課題】
【０００４】
しかしながら、このような温度制御の方法では、上限温度や設定温度が組み込まれていないため、ＣＰＵ素子の冷却では、多くの水量及び大きな伝熱面積を必要とし、また、バイオリアクターでは高度な温度測定及び大きな熱容量を必要とし、いずれも安定動作を行うために装置が大型化してしまうという問題がある。
このように、従来の方法では、微細な領域における冷却又は温度制御を精度よく行うことが困難であった。
【０００５】
そこで、本発明は、微細な領域を精度よく冷却又は温度制御することができる冷却媒体、冷却ユニット、これを備えたパーソナルコンピュータ及びバイオリアクター、並びに冷却装置を提供することを目的とする。
【課題を解決するための手段】
【０００６】
本発明者らは、鋭意研究の結果、高沸点成分を連続相とし、低沸点成分を分散相として構成したエマルジョンを含む、冷却媒体によれば、微細な領域を精度よく冷却又は温度制御することができることを見出し、本発明を完成するに至った。
すなわち、エマルジョンは油中水滴型、水中油滴型等の乳化形式や分散相滴の直径分布等の内部構造、温度条件等によって流体力学的性質や熱的性質が大きく異なるものであり、その複雑性のゆえに、伝熱媒体設計に資するに十分な基礎的知見が得られていないのが現状であるところ、本発明者らは、特定のエマルジョンが伝熱媒体として優れることを見出し、本発明を完成するに至った。
【０００７】
すなわち、本発明は、〔１〕高沸点成分を連続相とし、低沸点成分を分散相として構成したエマルジョンを含む、冷却媒体；〔２〕前記エマルジョン中、前記分散相の体積割合が１０％以上３０％以下である、前記（１）記載の冷却媒体；〔３〕連続相である水及び分散相であるｎ−ヘキサンからなる水中油滴型エマルジョンと、界面活性剤であるエーテル系化合物と、を含む、前記（１）又は（２）記載の冷却媒体；〔４〕前記水中油滴型エマルジョン中における分散相の油滴直径が、０．５μｍ以上３０μｍ以下である、前記（３）記載の冷却媒体；〔５〕前記水中油滴型エマルジョンの粘性係数が、２９３Ｋにおいて３５ｍＰａ・ｓ以上４０ｍＰａ・ｓ以下である、前記（３）又は（４）記載の冷却媒体；〔６〕連続相である鉱油、シリコンオイル、又は流動パラフィンと、分散相である水と、からなる油中水滴型エマルジョンと、界面活性剤であるソルビタン系化合物と、を含む、前記（１）又は（２）記載の冷却媒体；〔７〕被冷却体を冷却するための冷却ユニットであって、前記（１）〜（６）の何れかに記載の冷却媒体と、前記冷却媒体の移送を促進する冷却媒体移送ポンプと、前記被冷却体の下流に設けられた放熱器と、前記放熱器の下流に設けられた攪拌装置と、前記攪拌装置から排出された冷却媒体を前記被冷却体へ還流する循環系と、を含む、冷却ユニット；〔８〕前記（７）記載の冷却ユニットを備えた、パーソナルコンピュータ；〔９〕前記（７）記載の冷却ユニットを備えた、バイオリアクター；〔１０〕前記（１）〜（６）の何れかに記載の冷却媒体を備えた、冷却装置；を提供する。
【発明の効果】
【０００８】
本発明によれば、微細な領域を精度よく冷却又は温度制御することができる。
【発明を実施するための最良の形態】
【０００９】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１０】
（冷却媒体）
本発明の冷却媒体は、高沸点成分を連続相とし、低沸点成分を分散相として構成したエマルジョンを含むものである。
【００１１】
本発明の冷却媒体によれば、高沸点成分に、低沸点成分を混入・安定化させたエマルジョンを含む構成としたことにより、微細な領域を精度よく冷却又は温度制御することができる。
すなわち、冷却媒体自体が温度設定機能を有し、伝熱面温度が低沸点成分の沸点より高くなった場合に伝熱面近傍の微小滴は沸騰して蒸気泡が発生し伝熱面より潜熱を奪い、また、その発生した蒸気泡は雰囲気によって沸点以下に冷却されると凝縮し潜熱を放出する。このようなメカニズムにより冷却媒体自体が温度設定機能を有するため、伝熱機器の温度制御を安定、精密、かつ高効率に行うことができる。すなわち、所定の温度領域において温度制御することができる。また、設定温度近傍における熱伝達率の利用効率を高めることができるので、冷却媒体の流量を少なくしても伝熱機器の温度制御をすることができ、冷却装置を小型化することができる。
上記エマルジョンは、水中油滴型エマルジョンであっても、油中水滴型エマルジョンであってもよい。
「高沸点成分を連続相とし、低沸点成分を分散相として構成」とは、上記エマルジョンは沸点の異なる２種の成分を含み、相対的に沸点が高い高沸点成分を連続相とし、相対的に沸点が低い低沸点成分を分散相としてエマルジョンを構成するとの意味である。
【００１２】
前記エマルジョン中、前記分散相の体積割合が１０％以上３０％以下であることが好ましい。
特に、前記エマルジョン中、前記連続相の体積割合が７８％であり、前記分散相の体積割合が２０％であり、使用される界面活性剤の体積割合が２％であることが好ましい。
このような好適な構成とすることにより、本発明の効果を一層達成することができる。
【００１３】
本発明の冷却媒体は、連続相である水及び分散相であるｎ−ヘキサンからなる水中油滴型エマルジョンと、界面活性剤であるエーテル系化合物と、を含むものであってもよい。
水に、沸点の低い不溶性媒体であるｎ−ヘキサン（大気圧下における沸点６９℃）を混入・安定化させた水中油滴型エマルジョンを含む構成としたことにより、微細な領域を精度よく伝熱制御することができる。
【００１４】
連続相である水は、純水（大気圧下において沸点１００℃）であることが好ましい。
冷却系の圧力を変化させることにより水や添加油分の沸点が変化する。本発明の冷却媒体は連続相及び分散相の沸点差で伝熱制御を行っているため、冷却系の圧力を変化させることによって温度制御領域を広く設定することができる。
【００１５】
界面活性剤であるエーテル系化合物としては、ポリオキシエチレンノニルフェニルエーテルが好ましい。
ポリオキシエチレンノニルフェニルエーテルは、（Ｃ2Ｈ4Ｏ）n・Ｃ15Ｈ24Ｏで表される（ＣＡＳ番号：９０１６−４５−９）。ポリオキシエチレンノニルフェニルエーテルの親水親油バランス（ＨＬＢ）は１０．４のものが好ましい。
【００１６】
前記水中油滴型エマルジョン中における分散相の油滴直径は、０．５μｍ以上３０μｍ以下であることが好ましい。
このように分散相の油滴直径を制御することにより、発生する蒸気泡の量及び移動距離を適切に調整することができ、微細な領域においての伝熱促進が可能である。
【００１７】
前記水中油滴型エマルジョンの粘性係数（粘度）は、２９３Ｋにおいて３５ｍＰａ・ｓ以上４０ｍＰａ・ｓ以下であることが好ましい。
このような粘性係数を有することにより、微細な領域において対流伝熱を適切に制御することができる。
【００１８】
本発明の冷却媒体は、連続相である鉱油、シリコンオイル、又は流動パラフィンと、分散相である水と、からなる油中水滴型エマルジョンと、界面活性剤であるソルビタン系化合物と、を含むものであってもよい。
鉱油（沸点は３００℃以上）、シリコンオイル、又は流動パラフィンに、これに対して沸点の低い水を混入・安定化させた油中水滴型エマルジョンを含む構成としたことにより、微細な領域を精度よく伝熱制御することができる。本好適な構成は、１００℃を超える高温領域の伝熱制御において有用である。
【００１９】
界面活性剤であるソルビタン系化合物としては、ソルビタンモノオレエートが好ましい。
ソルビタンモノオレエートは、Ｃ24Ｈ44Ｏ6で表され（ＣＡＳ番号：１３３８−４３−８）、親水親油バランス（ＨＬＢ）は４．３のものが好ましい。
【００２０】
（冷却ユニット）
本発明の冷却ユニットは、被冷却体を冷却するための冷却ユニットであって、上記冷却媒体と、前記冷却媒体の移送を促進する冷却媒体移送ポンプと、前記被冷却体の下流に設けられた放熱器と、前記放熱器の下流に設けられた攪拌装置と、前記攪拌装置から排出された冷却媒体を前記被冷却体へ還流する循環系と、を含むものである。
【００２１】
図１は、本発明の実施形態に係る冷却ユニット１０を示す模式図である。図１に示すように、冷却ユニット１０は、被冷却体１１に設けられ熱交換により被冷却体１１を冷却する冷却ヘッド１２と、その下流に設けられた放熱器１３と、その下流に設けられた攪拌装置１５と、その下流に設けられた冷却媒体移送ポンプ１４と、攪拌装置１５から排出された冷却媒体を被冷却体１１へ還流する循環系と、から構成される。循環系には上記冷却媒体が流通・還流する。
本発明の冷却ユニットによれば、動作限界温度を有する被冷却体の微細な領域を精度よく冷却又は温度制御することができる。
【００２２】
（応用例）
本発明のパーソナルコンピュータは、上記冷却ユニットを備えたものである。パーソナルコンピュータが備えるＣＰＵ素子の動作限界温度は約８０℃であり、上記冷却媒体を用いることによりＣＰＵ素子からの発生熱を効率よく放熱し、安定して精度よく動作限界温度以下に温度制御することができる。
【００２３】
本発明のバイオリアクターは、上記冷却ユニットを備えたものである。上記冷却媒体を用いることにより安定して精度よくバイオリアクターが備える生物培養槽を温度制御することができる。
バイオリアクターは、生化学反応を有用物質の生産、環境汚染物質の分解、分析、医療等に応用するシステムであり、攪拌型リアクター、エアリフト型リアクター、気泡塔型リアクター、充填型リアクター等がある。
【実施例】
【００２４】
以下、本発明を実施例によりさらに詳細に説明するが、本発明はこれらの実施例に限定されるものではない。当業者は、以下に示す実施例のみならず様々な変更を加えて実施することが可能であり、かかる変更も本特許請求の範囲に包含される。
【００２５】
（実施例）
体積割合０．７８の純水、体積割合０．２のｎ−ヘキサン（試薬特級）、及び体積割合０．０２のポリオキシエチレンノニルフェニルエーテル（ＨＬＢ＝１０．４）を混合し、スクリュー型攪拌器を用いて混合・安定化させて、水中油滴型のエマルジョンを得た。
【００２６】
得られた水中油滴型エマルジョンは室温で長時間静置したところ上方への分散相の凝集が確認された。分散相である油滴直径は５μｍであり、エマルジョンの粘性係数は２９３Ｋにおいて３８ｍＰａ・ｓ以上であった。
【００２７】
次に、測定系を、電極を取付けた実験液槽、電流供給系、計測系、及び温度制御系で構成した。実験液槽は、パイレックス（登録商標）ガラス製容器（外径１０７ｍｍ、内径９８ｍｍ）であって、上蓋に電極、標準温度計、及び凝縮器への導管が取り付けたものを用いた。容器内で発生した蒸気は凝縮器により凝縮されて、導管より滴下され還流した。凝縮器の上部に空気袋を取り付け、容器内は大気圧に保った。伝熱面にはＰｔワイヤーを用い、定電流回路により直接電気加熱した。
電流供給系は直流安定化電源及びパワーサプライコントローラで構成し、パーソナルコンピュータによってGP-IB制御した。電源装置にはシャント・ユニットを付加して補償するとともに、そのリードバック値を計測することによって電流値を求めた。細線温度は、抵抗値の変化から決定し、その抵抗値は細線間の電圧・電流値から求めた。計測系はデジタルマルチメータとパーソナルコンピュータとで構成し、同系列でGP-IB制御した。温度制御系はヒータ、攪拌器、温度制御装置及び変圧器で構成した。
【００２８】
測定は、槽内の温度が所定の温度となったことを確認した後、電流値を変化させながら行った。まず一の電流値において、電圧を１０ｓ間隔で６０ｓ間測定し、その後、電流値を変化させて同様にして電圧を測定した。熱流束Ｈを１０2Ｗ／ｍ2Ｋ〜１０5Ｗ／ｍ2Ｋの範囲で変化させ、雰囲気温度（Ｔａ）を室温（２９３Ｋ）からｎ−ヘキサンの沸点直下（３４３Ｋ）までの範囲で適宜変化させ、伝熱面過熱度Ｔ（Ｋ）と熱流束Ｈ（Ｗ／ｍ2Ｋ）を測定した。
【００２９】
図２に、実施例の水中油滴型乳化流体を用いた場合の熱伝達率変化を示す。
図２に示すように、実施例の冷却媒体は過熱度の低い領域で熱伝達率は低い値を示し、過熱度の上昇とともに熱伝達率は急激に増加し、その後増加率は減少し、極大値を示した後に熱伝達率が減少し、さらに単調増加を示した。また、過熱度△５０Ｋ付近で沸騰音の
発生を確認した。
図２に示すように、実施例の水中油滴型乳化流体では、熱伝達率変化にいくつかの変節点を有することが判った。これは、ｎ−ヘキサンを分散相として内在させたことによる熱輸送変化及びｎ−ヘキサンの相変化と再凝縮、及び蒸気膜形成とその離脱などによって伝熱モードが変化したためと考えられる。
【００３０】
（比較例）
体積割合０．７８の純水、体積割合０．２のｎ−ヘキサン（試薬特級）、及び体積割合０．０２のソルビタンモノオレエート（ＨＬＢ＝４．３）を混合し、スクリュー型攪拌器を用いて混合・安定化させて、低沸点成分（ｎ−ヘキサン）を連続相とし、高沸点成分（水）を分散相とする油中水滴型のエマルジョンを得た。
【００３１】
得られた油中水滴型エマルジョンは室温で長時間静置しても明らかな相分離は観察されなかった。分散相である水滴直径は１〜１０μｍであり、エマルジョンの粘性係数は２９３Ｋにおいて１０００ｍＰａ・ｓ以上であった。
伝熱面にＮｉワイヤーを用いた以外は実施例と同様にして、伝熱特性を測定した。
【００３２】
図３に、比較例のエマルジョンを用いた場合の熱伝達率変化を示す。図３に示すように、比較例のエマルジョンにおいては、図２のような伝熱モードの変化は観察されなかった。
【図面の簡単な説明】
【００３３】
【図１】図１は本発明の実施形態に係る冷却ユニットを示す模式図である。
【図２】図２は実施例に係る冷却媒体の熱伝達率変化を示すグラフである。
【図３】図３は比較例に係る冷却媒体の熱伝達率変化を示すグラフである。
【符号の説明】
【００３４】
１０  冷却ユニット、１１  被冷却体、１２  冷却ヘッド、１３  放熱器、１４  冷却媒体移送ポンプ、１５  攪拌装置
【図１】
2007146043.tif 000002
【図２】
2007146043.tif 000003
【図３】
2007146043.tif 000004